(57)【特許請求の範囲】
【請求項１】
プラントに設けられた機器の稼働状況に応じた情報と時刻とを対応付けて収集するデータ収集装置と、
外部からの操作により文字情報と音声情報と映像情報とのうちの少なくとも一つの入力を受け付ける入力装置と、
外部からの指示に基づいて情報を報知する報知装置と、
前記プラントの機器を制御し、前記プラントの機器の稼働状況が自らの制御により変化した際に、前記プラントの機器の稼働状況が変化した際の特異事象を説明する記録の入力を促す情報を前記報知装置に報知させ、この際に前記入力装置による情報の入力を有効とし、前記入力装置が特異事象を説明する記録の情報の入力を受け付けた際における前記プラントの機器の稼働状況に応じた情報と時刻とに対応付けて前記入力装置に入力された特異事象を説明する記録の情報を前記データ収集装置に記録させる制御装置と、
前記データ収集装置により記録された情報に基づいて、前記入力装置が特異事象を説明する記録の情報の入力を受け付けた際における前記プラントの機器の稼働状況に応じた情報と時刻とに対応付けて前記入力装置に入力された特異事象を説明する記録の情報があることを示す情報を表示する表示装置と、
を備えたプラントの記録装置。
【請求項２】
予め設定された操作を受け付けるボタン、
を備え、
前記制御装置は、前記ボタンが操作された際に前記入力装置による情報の入力を有効とする請求項１に記載のプラントの記録装置。
【請求項３】
前記表示装置は、前記入力装置に入力された情報があることを示す情報に対して予め設定された操作がなされた際に前記入力装置に入力された情報を表示する請求項１または請求項２に記載のプラントの記録装置。
【発明の詳細な説明】
【技術分野】
【０００１】
この発明は、プラントの記録装置に関する。
【背景技術】
【０００２】
特許文献１は、プラントの記録装置を開示する。当該記録装置は、マンマシンインターフェース画面の情報、月日等をメモ表示一覧画面に表示する。
【先行技術文献】
【特許文献】
【０００３】
【特許文献１】特開平９−１２８１８３号公報
【発明の概要】
【発明が解決しようとする課題】
【０００４】
しかしながら、特許文献１に記載の記録装置は、特異事象を説明するメモをメモ表示一覧画面に表示しない。このため、プラントの機器の稼働状況の情報と特異事象の情報とが関連付けられていることを容易に把握することができない。
【０００５】
この発明は、上述の課題を解決するためになされた。この発明の目的は、プラントの機器の稼働状況の情報と特異事象の情報とが関連付けられていることを容易に把握することができるプラントの記録装置を提供することである。
【課題を解決するための手段】
【０００６】
この発明に係るプラントの記録装置は、プラントに設けられた機器の稼働状況に応じた情報と時刻とを対応付けて収集するデータ収集装置と、外部からの操作により文字情報と音声情報と映像情報とのうちの少なくとも一つの入力を受け付ける入力装置と、外部からの指示に基づいて情報を報知する報知装置と、前記プラントの機器を制御し、前記プラントの機器の稼働状況が自らの制御により変化した際に、前記プラントの機器の稼働状況が変化した際の特異事象を説明する記録の入力を促す情報を前記報知装置に報知させ、この際に前記入力装置による情報の入力を有効とし、前記入力装置が特異事象を説明する記録の情報の入力を受け付けた際における前記プラントの機器の稼働状況に応じた情報と時刻とに対応付けて前記入力装置に入力された特異事象を説明する記録の情報を前記データ収集装置に記録させる制御装置と、前記データ収集装置により記録された情報に基づいて、前記入力装置が特異事象を説明する記録の情報の入力を受け付けた際における前記プラントの機器の稼働状況に応じた情報と時刻とに対応付けて前記入力装置に入力された特異事象を説明する記録の情報があることを示す情報を表示する表示装置と、を備えた。
【発明の効果】
【０００７】
これらの発明によれば、プラントの機器の稼働状況に応じた情報と時刻とに対応付けて入力装置に入力された情報があることを示す情報が表示される。このため、プラントの機器の稼働状況の情報と特異事象の情報とが関連付けられていることを容易に把握することができる。
【図面の簡単な説明】
【０００８】
【図１】この発明の実施の形態１におけるプラントの記録装置が適用された圧延ラインの構成図である。
【図２】この発明の実施の形態１におけるプラントの記録装置が適用された圧延ラインのアラーム一覧表を説明するための図である。
【図３】この発明の実施の形態１におけるプラントの記録装置により記録されたメモを説明するための図である。
【発明を実施するための形態】
【０００９】
この発明を実施するための形態について添付の図面に従って説明する。なお、各図中、同一又は相当する部分には同一の符号が付される。当該部分の重複説明は適宜に簡略化ないし省略する。
【００１０】
実施の形態１．
図１はこの発明の実施の形態１におけるプラントの記録装置が適用された圧延ラインの構成図である。
【００１１】
図１のプラントにおいて、圧延機１は、ワークロール１ａを備える。第１巻戻リール２と第２巻戻リール３とは、圧延機１の入側に設けられる。巻取リール４は、圧延機１の出側に設けられる。溶接機５は、圧延機１の入側かつ第１巻戻リール２と第２巻戻リール３の出側に設けられる。切断機６は、圧延機１の出側かつ巻取リール４入側に設けられる。
【００１２】
圧延機モータ７の出力軸は、ワークロール１ａの回転軸に機械的に接続される。第１巻戻リールモータ８の出力軸は、第１巻戻リール２の回転軸に機械的に接続される。第２巻戻リールモータ９の出力軸は、第２巻戻リール３の回転軸に機械的に接続される。巻取リールモータ１０の出力軸は、巻取リール４の回転軸に機械的に接続される。
【００１３】
圧延機駆動装置１１は、圧延機モータ７に電気的に接続される。第１巻戻リール駆動装置１２は、第１巻戻リールモータ８に電気的に接続される。第２巻戻リール駆動装置１３は、第２巻戻リールモータ９に電気的に接続される。巻取リール駆動装置１４は、巻取リールモータ１０に電気的に接続される。
【００１４】
記録装置は、ＰＬＣ１５とデータ収集装置１６とＨＭＩ１７とマウス１８とキーボード１９とマイク２０とビデオカメラ２１とを備える。
【００１５】
ＰＬＣ１５は、圧延機駆動装置１１と第１巻戻リール駆動装置１２と第２巻戻リール駆動装置１３と第２巻戻リールモータ９と巻取リール駆動装置１４と溶接機５と切断機６とに電気的に接続される。
【００１６】
データ収集装置１６は、ＰＬＣ１５に電気的に接続される。
【００１７】
ＨＭＩ１７は、本体部１７ａと表示部１７ｂとを備える。本体部１７ａは、ＰＬＣ１５に電気的に接続される。表示部１７ｂは、本体部１７ａに電気的に接続される。
【００１８】
マウス１８は、ＨＭＩ１７の本体部１７ａに電気的に接続される。キーボード１９は、入力装置のひとつとしてＨＭＩ１７の本体部１７ａに電気的に接続される。
【００１９】
マイク２０は、入力装置のひとつとしてＰＬＣ１５に電気的に接続される。ビデオカメラ２１は、入力装置のひとつとしてＰＬＣ１５に電気的に接続される。
【００２０】
例えば、ＰＬＣ１５は、圧延機駆動装置１１を制御する。圧延機駆動装置１１は、圧延機モータ７を回転させる。ワークロール１ａは、圧延機モータ７の回転に追従して回転する。その結果、圧延材は、圧延される。
【００２１】
例えば、ＰＬＣ１５は、第１巻戻リール駆動装置１２を制御する。第１巻戻リール駆動装置１２は、第１巻戻リールモータ８を回転させる。第１巻戻リール２は、第１巻戻リールモータ８の回転に追従して回転する。その結果、圧延材は、第１巻戻リール２から送り出される。
【００２２】
例えば、ＰＬＣ１５は、第２巻戻リール駆動装置１３を制御する。第２巻戻リール駆動装置１３は、第２巻戻リールモータ９を回転させる。第２巻戻リール３は、第２巻戻リールモータ９の回転に追従して回転する。その結果、圧延材は、第２巻戻リール３から送り出される。
【００２３】
例えば、ＰＬＣ１５は、巻取リール駆動装置１４を制御する。巻取リール駆動装置１４は、巻取リールモータ１０を回転させる。巻取リール４は、巻取リールモータ１０の回転に追従して回転する。その結果、圧延材は、巻取リール４に巻き取られる。
【００２４】
例えば、ＰＬＣ１５は、溶接機５を制御する。その結果、圧延材は、溶接機５により溶接される。
【００２５】
例えば、ＰＬＣ１５は、切断機６を制御する。その結果、圧延材は、切断機６により切断される。
【００２６】
データ収集装置１６は、プラントに設けられた機器の稼働状況に応じた情報と時刻とを対応付けて収集する。
【００２７】
ＨＭＩ１７において、本体部１７ａは、プラントに設けられた機器の稼働状況に応じた情報を表示部１７ｂに表示させる。本体部１７ａは、メモ記録ボタン１７ｃを表示させる。メモ記録ボタン１７ｃが予め設定された操作を受け付けた場合、本体部１７ａは、キーボード１９とマイク２０とビデオカメラ２１とのうちの少なくとも一つによる情報の入力を有効とする。例えば、オペレータの指がメモ記録ボタン１７ｃに触れた際、本体部１７ａは、キーボード１９とマイク２０とビデオカメラ２１とのうちの少なくとも一つによる情報の入力を有効とする。
【００２８】
例えば、キーボード１９による情報の入力が有効の場合、オペレータは、キーボード１９を用いて特異事象を説明する文字情報をメモ１７ｄとして入力する。例えば、マイク２０による情報の入力が有効の場合、オペレータは、マイク２０を用いて特異事象を説明する音声情報をメモ１７ｄとして入力する。例えば、ビデオカメラ２１による情報の入力が有効の場合、オペレータは、ビデオカメラ２１を用いて特異事象を説明する映像情報をメモ１７ｄとして入力する。
【００２９】
この際、ＰＬＣ１５は、制御装置として、機器の稼働状況に応じた情報と時刻とに対応付けてキーボード１９とマイク２０とビデオカメラ２１とのうちの少なくとも一つから入力された情報をデータ収集装置１６に記録させる。
【００３０】
プラントの稼働状況が変化する場合、ＰＬＣ１５は、キーボード１９とマイク２０とビデオカメラ２１とのうちの少なくとも一つにより入力すべき内容を報知するようにＨＭＩ１７の本体部１７ａに指示する。例えば、溶接機５が圧延材を溶接する際、ＰＬＣ１５は、キーボード１９とマイク２０とビデオカメラ２１とのうちの少なくとも一つにより溶接の状態を示す情報の入力を促すようにＨＭＩ１７の本体部１７ａに指示する。例えば、切断機６が圧延材を切断する際、ＰＬＣ１５は、キーボード１９とマイク２０とビデオカメラ２１とのうちの少なくとも一つにより切断後の圧延材の端部の状態を示す情報の入力を促すようにＨＭＩ１７の本体部１７ａに指示する。
【００３１】
ＨＭＩ１７において、本体部１７ａは、キーボード１９とマイク２０とビデオカメラ２１とのうちの少なくとも一つによる情報の入力を有効とする。この際、本体部１７ａは、キーボード１９とマイク２０とビデオカメラ２１とのうちの少なくとも一つにより入力すべき内容を報知する情報を表示するように表示部１７ｂに表示させる。例えば、溶接機５が圧延材を溶接する際、本体部１７ａは、キーボード１９とマイク２０とビデオカメラ２１とのうちの少なくとも一つにより溶接の状態を示す情報の入力を報知する情報を表示部１７ｂに表示させる。例えば、切断機６が圧延材を切断する際、本体部１７ａは、キーボード１９とマイク２０とビデオカメラ２１とのうちの少なくとも一つにより切断後の圧延材の端部の状態を示す情報の入力を報知する情報を表示部１７ｂに表示させる。この際、表示部１７ｂは、報知装置として、予め設定された形式に従って情報を報知する。
【００３２】
オペレータは、ＨＭＩ１７の表示部１７ｂに表示された情報に基づいて情報を入力する。例えば、ＨＭＩ１７の表示部１７ｂがキーボード１９とマイク２０とビデオカメラ２１とのうちの少なくとも一つにより溶接の状態を示す情報の入力を報知する情報を表示した場合、オペレータは、キーボード１９とマイク２０とビデオカメラ２１とのうちの少なくとも一つにより溶接の状態を示す情報を入力する。例えば、ＨＭＩ１７の表示部１７ｂがキーボード１９とマイク２０とビデオカメラ２１とのうちの少なくとも一つにより切断後の圧延材の端部の状態を示す情報の入力を報知する情報を表示した場合、オペレータは、キーボード１９とマイク２０とビデオカメラ２１とのうちの少なくとも一つにより切断後の圧延材の端部の状態を示す情報を入力する。
【００３３】
この際、ＰＬＣ１５は、制御装置として、機器の稼働状況に応じた情報と時刻とに対応付けてキーボード１９とマイク２０とビデオカメラ２１とのうちの少なくとも一つから入力された情報をデータ収集装置１６に記録させる。
【００３４】
ＨＭＩ１７において、本体部１７ａは、データ収集装置１６により記録された情報の履歴をアラーム一覧表として表示部１７ｂに表示させる。この際、本体部１７ａは、データ収集装置１６により記録された情報に基づいて、機器の稼働状況に応じた情報と時刻とに対応付けてキーボード１９とマイク２０とビデオカメラ２１とのうちの少なくとも一つから入力された情報があることを示す情報を表示部１７ｂに表示させる。この際、表示部１７ｂは、表示装置として、予め設定された形式に従ってアラーム一覧表を表示する。
【００３５】
オペレータは、キーボード１９とマイク２０とビデオカメラ２１とのうちの少なくとも一つから入力された情報があることを示す情報に対して予め設定された操作を行う。例えば、オペレータは、マウス１８を用いてキーボード１９とマイク２０とビデオカメラ２１とのうちの少なくとも一つから入力された情報があることを示す情報をクリックする。
【００３６】
この際、本体部１７ａは、キーボード１９とマイク２０とビデオカメラ２１とのうちの少なくとも一つから入力された情報を報知する。例えば、本体部１７ａは、キーボード１９から入力された文字情報を表示部１７ｂに表示させる。例えば、本体部１７ａは、マイク２０から入力された音声情報を文字情報に変換して表示させる。例えば、本体部１７ａは、ビデオカメラ２１から入力された映像情報を表示部１７ｂに表示させる。
【００３７】
次に、図２を用いて、アラーム一覧表を説明する。
図２はこの発明の実施の形態１におけるプラントの記録装置が適用された圧延ラインのアラーム一覧表を説明するための図である。
【００３８】
図２に示すように、アラーム一覧表は、「時刻」と「作業ＩＤ」と「データＡ」と「データＢ」と「メモ」とを対応付けた表である。
【００３９】
「時刻」の欄は、プラントの稼働時刻を示す。「作業ＩＤ」の欄は、プラントにおける作業項目を示す。例えば、「作業ＩＤ」の欄は、圧延の対象となるコイルナンバーを示す。「データＡ」の欄は、プラントの機器の稼働状況に応じた情報を示す。例えば、「データＡ」の欄は、圧延機モータ７の駆動電流を示す。「データＢ」の欄は、プラントの機器の稼働状況に応じた情報を示す。例えば、「データＢ」の欄は、圧延機モータ７の駆動電圧を示す。「メモ」の欄は、キーボード１９とマイク２０とビデオカメラ２１とのうちの少なくとも一つから入力された情報があるか否かを示す。例えば、キーボード１９とマイク２０とビデオカメラ２１とのうちの少なくとも一つから入力された情報がある場合、「メモあり」との表示が「メモ」の欄においてなされる。
【００４０】
次に、図３を用いて、メモ１７ｄの例を説明する。
図３はこの発明の実施の形態１におけるプラントの記録装置により記録されたメモを説明するための図である。
【００４１】
図３に示すように、メモ１７ｄが文字情報の場合、メモ１７ｄの内容は、オペレータが感じた特異事象を説明する内容となる。例えば、第１メモにおいては、「その時間に異音を聞いた。」との特異事象が説明される。例えば、第２メモにおいては、「その時間に非常に多くの水蒸気が発生した。」との特異事象が説明される。
【００４２】
以上で説明した実施の形態１によれば、アラーム一覧表において、機器の稼働状況に応じた情報と時刻とに対応付けてキーボード１９とマイク２０とビデオカメラ２１とのうちの少なくとも一つから入力された情報があることを示す情報が表示される。このため、プラントの機器の稼働状況の情報と特異事象の情報とが関連付けられていることを容易に把握することができる。
【００４３】
特に、プラントを停止させない軽故障のアラーム一覧表においては、多数の項目が存在する。この場合、キーボード１９とマイク２０とビデオカメラ２１とのうちの少なくとも一つから入力された情報があることを示す情報が表示されていれば、効率よく故障の解析を行うことができる。
【００４４】
また、メモ記録ボタン１７ｃが予め設定された操作を受け付けた場合、キーボード１９とマイク２０とビデオカメラ２１とのうちの少なくとも一つによる情報の入力が有効となる。このため、特異事象を説明する情報を適切なタイミングで入力することができる。
【００４５】
また、プラントの稼働状況が変化する場合、キーボード１９とマイク２０とビデオカメラ２１とのうちの少なくとも一つにより入力すべき内容が報知される。このため、特異事象を説明する情報を適切なタイミングで入力することができる。
【００４６】
また、キーボード１９とマイク２０とビデオカメラ２１とのうちの少なくとも一つから入力された情報があることを示す情報に対して予め設定された操作が行われた際、キーボード１９とマイク２０とビデオカメラ２１とのうちの少なくとも一つから入力された情報が報知される。このため、特異事象の内容を容易に確認することができる。
【００４７】
なお、圧延ライン以外のプラントに記録装置を適用してもよい。この場合も、プラントの機器の稼働状況の情報と特異事象の情報とを容易に関連付けて解析することができる。
【００４８】
また、データ収集装置１６で時系列に収集した情報に基づいたトレンドデータ表示を行う際にキーボード１９とマイク２０とビデオカメラ２１とのうちの少なくとも一つから入力された情報があることを示す情報をあわせて表示してもよい。この場合、チャートデータの解析行うときに、プラントで発生した特異点（オペレータが感じた異変）を確認することができる。その結果、データだけでは分らない事象を認識することができる。
【００４９】
例えば、「非常に大きな音を聞いた」との情報により、何かの衝突または破損が発生した可能性の推測に対して信頼性を向上させることができる。例えば、「強い光が差し込んだ」との情報により、光によるセンサの誤動作の可能性の推測に対して信頼性を向上させることができる。
【符号の説明】
【００５０】
１  圧延機、  １ａ  ワークロール、  ２  第１巻戻リール、  ３  第２巻戻リール、  ４  巻取リール、  ５  溶接機、  ６  切断機、  ７  圧延機モータ、  ８  第１巻戻リールモータ、  ９  第２巻戻リールモータ、  １０  巻取リールモータ、  １１  圧延機駆動装置、  １２  第１巻戻リール駆動装置、  １３  第２巻戻リール駆動装置、  １４  巻取リール駆動装置、  １５  ＰＬＣ、  １６  データ収集装置、  １７  ＨＭＩ、  １７ａ  本体部、  １７ｂ  表示部、  １７ｃ  メモ記録ボタン、  １８  マウス、  １９  キーボード、  ２０  マイク、  ２１  ビデオカメラ
【図１】
0006578984.tif 000002
【図２】
0006578984.tif 000003
【図３】
0006578984.tif 000004